(57)【特許請求の範囲】
【請求項１】
建設機械のキャブ(1)の外壁(1b)に開口され、かつキャブ内に設置したエアコン装置へ外気を導入する外気導入口(1c)を、通風孔(10a)を有する外気導入口カバー(10)により被覆及び開放自在とした建設機械用エアコン装置の外気導入口カバーの開閉装置において、
前記外気導入口カバー(10)をヒンジ(11)を介して開閉自在にキャブ(1)のドア後方の外壁(1b)に支持して設け、
外気導入口カバー(10)を閉状態でキャブ(1)の外壁(1b)に少なくとも１個所で係止する係止手段(12)を設け、
外気導入口カバー(10)を閉状態のときに開方向に付勢し、かつ開状態のときには所定の半開き位置を中立とするばね手段(11c)を前記ヒンジ(11)に設け、
前記ドア(6)は、後部が前記キャブ(1)にヒンジにより開閉自在に支持されて、全開状態では外側面が前記外気導入口カバー(10)に対向するように配置されており、
前記外気導入口カバー(10)の半開き位置は、全開したドア(6)の外側面よりも車体側に位置する
ことを特徴とする建設機械用エアコン装置の外気導入口カバーの開閉装置。
【請求項２】
請求項１記載の建設機械用エアコン装置の外気導入口カバーの開閉装置において、
キャブ(1)の内側に位置し、回動操作により外気導入口カバー(10)の外壁(1b)への係止を解除する操作レバー(14a)を設けた
ことを特徴とする建設機械用エアコン装置の外気導入口カバーの開閉装置。
【発明の詳細な説明】
【０００１】
【発明の属する技術分野】
本発明は、油圧ショベル等の建設機械のキャブの内側に装備されたエアコン装置の外気導入口を被覆する外気導入口カバーの開閉装置に関する。
【０００２】
【従来の技術】
従来、建設機械のキャブ内にエアコン装置を装備する場合は、エアコン装置へ外気を導入するための外気導入口をキャブの外壁に設け、この外気導入口を、通風孔を有するカバーで被覆し、このカバーをキャブ外壁にボルト締めしているものが一般的である。
【０００３】
例えば、特開平９−２９０６２４号公報に記載された建設機械用空調装置の外気導入ダクトによれば、図７，８に示すように、外気導入ダクト（本発明の外気導入口カバーに相当するので、以下外気導入口カバーという）２１は、キャブ壁２２に開設された外気導入口２３に連通する透孔２４及び透孔２６を有しており、その外周部に設けたフランジ２９のボルト挿入孔２８でボルト３０によりキャブ壁２２に取り付けられている。
【０００４】
【発明が解決しようとする課題】
しかしながら、上記の特開平９−２９０６２４号公報に記載された外気導入口カバーにおいては、外気導入口カバー２１が所定本数の（少なくとも上下左右の４本の）ボルト３０で取付けてあるので、エアコン装置のフィルタ交換等のメンテナンスの際に外気導入口カバー２１の取外し及び取付けに時間がかかって作業性が良くない。また、取外した外気導入口カバー２１及びボルト３０が紛失したり損傷しないように、作業者は気を付けて作業しなければならず、万一紛失した場合にはその部品の手配に時間がかかってしまうという問題もある。
【０００５】
本発明は上記従来の問題点に着目し、カバー取外し及び取付けの作業性が良い建設機械用エアコン装置の外気導入口カバーの開閉装置を提供することを目的とする。
【０００６】
【課題を解決するための手段、および作用、効果】
上記目的を達成するために、第１発明は、建設機械のキャブの外壁に開口され、かつキャブ内に設置したエアコン装置へ外気を導入する外気導入口を、通風孔を有する外気導入口カバーにより被覆及び開放自在とした建設機械用エアコン装置の外気導入口カバーの開閉装置において、前記外気導入口カバーをヒンジを介して開閉自在にキャブのドア後方の外壁に支持して設け、外気導入口カバーを閉状態でキャブの外壁に少なくとも１個所で係止する係止手段を設け、外気導入口カバーを閉状態のときに開方向に付勢し、かつ開状態のときには所定の半開き位置を中立とするばね手段を外気導入口カバーのヒンジに設け、ドアは、後部がキャブにヒンジにより開閉自在に支持されて、全開状態では外側面が外気導入口カバーに対向するように配置されている。そして、外気導入口カバー(10)の半開き位置は、全開したドアの外側面よりも車体側に位置する構成としている。
【０００７】
第１発明によれば、外気導入口カバーはヒンジと少なくとも１個所で係止する係止手段（ボルトや、スライドロック機構等）によりキャブ外壁に開閉自在に支持され取付けられているから、少なくとも１個所の係止手段で係止及び解除をするだけで外気導入口カバーを開閉でき、しかも外気導入口カバーはばね手段で開方向に付勢されて半開き位置で保持されるから、作業者が外気導入口カバーを開く必要がない。従って、作業性が非常に良い。また、作業者は外気導入口カバーを紛失したり取外し中に損傷したりするのを心配しなくてもよく、損傷部品の手配等の無駄な時間をかけないで済む。
【０００８】
また、本発明では、外気導入口カバーは半開き状態で保持された際に、半開き位置は、全開したドアの外側面よりも車体側に位置するので、ドアとの干渉を防止できる。即ち、外気導入口カバーの開状態でドアを開閉してもドアと干渉することがない。また、キャブ内に設けた操作レバーにより外気導入口カバーの係止手段の係止を解除可能としているが、ドアを開けた状態でこの操作レバーにより外気導入口カバーを開いても、外気導入口カバーは半開き状態で保持されるからドアと干渉しない。従って、ドア及び外気導入口カバーを損傷することが無いので、作業者は干渉を気にすることなくドアの開閉や外気導入口カバーの開閉を行うことができ、作業性が良い。
【０００９】
第２発明は、第１発明に基づいて、キャブの内側に位置し、回動操作により外気導入口カバーの外壁への係止を解除する操作レバーを設けた構成としている。
【００１０】
【発明の実施の形態】
以下に、本発明に係る外気導入口カバーの開閉装置の実施形態を図１〜図５により説明する。
【００１１】
先ず、本実施形態の構成の概要について、図１に示す外気導入口カバーの開閉装置を装着したキャブの側面図により説明する。
【００１２】
キャブ１のドア６の後方に設けた側壁部のアウタプレート１ｂに、キャブ１内に設置された図示しないエアコン装置の吸気口に連通した外気導入口１ｃを設け、外気導入口１ｃには所定数の通風孔１０ａを有する外気導入口カバー（以後、単にカバーと言う）１０が覆うように配設されている。カバー１０は、ヒンジ１１を介してアウタプレート１ｂに開閉自在に取付けられており、ヒンジ１１の取付部に対して略反対側に係合部を有し、この係合部でアウタプレート１ｂに取着された係止手段１２により係合されるようになっている。尚本実施形態においては、後述するように係止手段１２としてばねにより突出方向に付勢されたロック機構を用いており、ここではロック１２と呼ぶ。ロック１２はキャブ１の内側でドア６の開口部の近傍に装着された操作レバー１４ａにフレキシブルケーブル１３を介して連結されており、操作レバー１４ａの回動操作によりロック１２によるカバー１０の係止が解除されるようになっている。
【００１３】
次に、各構成の詳細について図２乃至図５により説明する。図２は図１のＡ−Ａ断面図である。図２に示すように、ドア６の後方のキャブ側壁部はインナプレート１ａとアウタプレート１ｂとを有し、図示しないエアコン装置に接続されている吸入ダクト２の先端部がシール３を介してインナプレート１ａに取着されている。吸入ダクト２の先端部は内寸法が基端部よりも大きくなっていて段差部２ａを設けてあり、吸入ダクト２の内側に外気フィルタ４が挿入されて前記段差部２ａに当てがわれ、ホルダ５によって外側から挟むように固定されている。ホルダ５は、左右に２個のプレート５ａ，５ａを備えており、インナプレート１ａに設けた左右２個のガイドプレート１ｄ，１ｄの間にプレート５ａ，５ａを嵌め込んでインナプレート１ａに固定されている。
【００１４】
アウタプレート１ｂに設けた前記外気導入口１ｃはホルダ５及び外気フィルタ４を外方に引き抜くに充分な大きさに開口しており、ヒンジ１１によって開閉自在とされたカバー１０で覆われている。図１のＢ−Ｂ断面図である図３に示すように、カバー１０の裏面に設けた取付座１０ｂにヒンジ１１の一片１１ａの端部が取付けられ、アウタプレート１ｂの裏面にはヒンジ１１の他片１１ｂが取り付けられている。ヒンジ１１の互いに回動自在に連結された一片１１ａと他片１１ｂの間には、ばね手段として戻しスプリング１１ｃが設けられている。
【００１５】
また図２に示すように、カバー１０は、係止が解除されたときスプリング１１ｃのフリー状態つまりカバー１０の中立位置への戻り力によりα°に開いた状態となり、この中立位置で保持されるようになっている。この中立位置は、ドア６を図中２点鎖線で示す完全に開いた状態でもカバー１０とドア６とが干渉しない位置にセットされている。尚、カバー１０は最大でβ°（＞９０°）まで開放できるようにセットされている。
【００１６】
また、カバー１０の裏面には係止部を有するプレート１０ｃが取付けられ、アウタプレート１ｂの裏面に取付けられたプレート１ｅには、突出自在にスライダ１２ａを備えたロック１２が取着されている。ロック１２のスライダ１２ａが前記プレート１０ｃの係止部に係止することにより、カバー１０は閉状態でアウタプレート１ｂに係止されるようになっている。
【００１７】
図４は図１のＣ−Ｃ断面図である。図４に示すように、ロック１２のスライダ１２ａはスプリング１２ｂによって突出方向に付勢されていて、スライダ１２ａの基端部はフレキシブルケーブル１３のワイヤ１３ａの一端１３ｂに連結されている。操作レバー１４ａの回動操作でワイヤ１３ａの他端側を図中右方に引くことにより、スライダ１２ａがスプリング１２ｂに抗して右方に移動し、カバー１０のプレート１０ｃとの係止が外れるようになっている。
【００１８】
図５は図１のＤ−Ｄ断面図であり、操作レバー部１４の詳細を示している。図２，５に示すように、操作レバー部１４のケース１４ｂがインナプレート１ａの内面で、かつドア６の開口部近傍に取着されており、操作レバー１４ａはケース１４ｂに回動自在に取付けられている。操作レバー１４ａの先端部は操作部を成し、他端部はフレキシブルケーブル１３の前記ワイヤ１３ａの他端１３ｃに連結されている。そして、ケース１４ｂと操作レバー１４ａとの間には戻しスプリング１４ｃが設けられている。
【００１９】
次に、本実施形態の作用について、図２〜図５により説明する。図５で、操作レバー１４ａの操作部を引き上げ操作することにより、フレキシブルケーブル１３のワイヤ１３ａの他端１３ｃは図中左方に移動する。すると、図４で、ワイヤ１３ａの一端１３ｂは右方に移動してスライダ１２ａを右方に後退させ、スライダ１２ａとカバー１０のプレート１０ｃとの係止が外れる。すると、図２，３に示すように、カバー１０はヒンジ１１の戻しスプリング１１ｃのフリー状態への付勢力によりα°開いた位置（中立位置）となる。そして、この中立位置からカバー１０を手で更に開けること（最大でβ°まで開放可能）により、ホルダ５及び外気フィルタ４を吸入ダクト２から引き抜き、外気導入口１ｃから外部に取り出すことができ、外気フィルタ４の清掃、交換等のメンテナンスが容易に行える。
【００２０】
メンテナンス終了後にカバー１０を前記フリー位置から手で押し込むと、図４で、カバー１０のプレート１０ｃがロック１２のスライダ１２ａのテーパ面１２ｃに当接してスライダ１２ａを右方に後退させ、プレート１０ｃの係止部はスライダ１２ａの突出部よりもキャブ内側まで入る。すると、スライダ１２ａはスプリング１２ｂの付勢力により元の突出位置に戻り、カバー１０は係止される。この係止状態ではカバー１０のプレート１０ｃはヒンジ１１のスプリング１１ｃによってスライダ１２ａの突出部に当接して押しつけられているので、カバー１０がガタつくことはない。
【００２１】
本実施形態によると、次のような効果が得られる。
【００２２】
（１）係止手段の１個所の係止を解除するだけでカバー１０を開くことができるので、カバー１０の開放作業が容易にできる。このとき、操作レバー１４ａの操作で係止手段の係止解除ができ、ねじの取外しが不要なので、作業性が非常に良く、ねじの紛失の畏れが無い。また、カバー１０はヒンジ１１により支持されているので、開放時に紛失や損傷の畏れが無い。
【００２３】
（２）ドア６が完全に開いていても、カバー１０はドア６と干渉しないような中立位置まで開いて保持されるから、干渉を防止でき、作業者がカバー１０を開ける時の作業性が非常によい。また、反対にカバー１０が中立位置に開いた状態でも、カバー１０との干渉を心配することなくドア６を開閉できるから作業性を向上できる。
【００２４】
尚、上記実施形態においては係止手段１２をスライドロック機構を用いて構成しているが、本発明はこれに限定するものではなく、他の係止機構（例えばフックの回動による係止等）を用いても上記と同じ効果を奏するのは勿論である。さらに、係止手段の駆動方式も上記実施形態に限定されず、例えば、リンク機構によりスライドやフックを駆動したり、操作レバーの操作でエアシリンダ等の直動自在なアクチュエータを駆動してフックやスライドを係止及び解除させるようにしてもよい。
【００２５】
次に、カバー１０の他の実施態様を図６により説明する。即ち、カバー１０を支持するヒンジ１１はばね鋼からなるばね部材１１ｄで構成し、ばね手段と兼ねても構わない。これによって、構成が簡単になり、小型化でき、また安価な開閉装置を構成できる。また、カバー１０の係止手段として、ヒンジ１１と略反対側位置を少なくとも１個所でねじ取付けするようにしてもよい。これにより、従来に比してねじの取外し及び締着の時間がかからないから、作業性が非常に良くなる。他の作用効果は上記実施形態と同様である。
【００２６】
以上説明したように、本発明にかかる建設機械用エアコン装置の外気導入口カバーの開閉装置によれば、ヒンジと少なくとも１個所の係止手段とによって外気導入口カバーをキャブ外壁に開閉自在に支持し取付けたので、外気導入口カバーを開閉するときには上記少なくとも１個所の係止手段で係止及び解除をするだけでよい。しかも、外気導入口カバーはばね手段で開方向に付勢されて半開き位置で保持されるから、作業者は外気導入口カバーを開く操作が不要となり作業性が非常に良い。また、取外した後に外気導入口カバーが紛失したり損傷したりする畏れがないので、カバーの再手配等の無駄な時間及び費用をかけないで済む。さらに、外気導入口カバーは半開き状態で保持されるからドアとの干渉の恐れが無く、従ってカバーの開閉やドアの開閉時の作業性が非常に良い。
【図面の簡単な説明】
【図１】本発明に係る外気導入口カバーの開閉装置を装着したキャブの側面図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】カバーのヒンジ及び係止手段の他の実施態様を表す。
【図７】従来の外気導入口カバーの正面図である。
【図８】図７のＥ−Ｅ断面図である。
【符号の説明】
１…キャブ、１ａ…インナプレート、１ｂ…アウタプレート（外壁）、１ｃ…外気導入口、１ｄ…ガイドプレート、２…吸入ダクト、２ａ…段差部、３…シール、４…外気フィルタ、５…ホルダ、６…ドア、１０…外気導入口カバー、１０ａ…通風孔、１０ｃ…プレート、１１…ヒンジ、１１ａ…一片、１１ｂ…他片、１１ｃ…スプリング、１１ｄ…ばね部材、１２…ロック（係止手段）、１２ａ…スライダ、１２ｂ…スプリング、１２ｃ…テーパ面，１３…フレキシブルケーブル、１３ａ…ワイヤ、１３ｂ…ワイヤ一端、１３ｃ…ワイヤ他端、１４…操作レバー部、１４ａ…操作レバー、１４ｂ…ケース、１４ｃ…スプリング。
【図１】
0004384821.tif 000002
【図２】
0004384821.tif 000003
【図３】
0004384821.tif 000004
【図４】
0004384821.tif 000005
【図５】
0004384821.tif 000006
【図６】
0004384821.tif 000007
【図７】
0004384821.tif 000008
【図８】
0004384821.tif 000009